(57)【要約】      （修正有）【課題】比較的簡単な構造で、プリンタの排紙口およびその近傍に、塵埃、その他異物、雨水、水滴等が侵入したり、付着することを防止し、故障等を防止する。【解決手段】プリンタ１の排紙口２に近接してそこから上方に排紙される用紙３を横方向に案内するために、斜面８を有する台座６と円弧状を呈するガイド板９を設ける。プリンタ１の外側に少なくとも排紙口２およびその近傍を保護するフレーム１２、外側ガイド部材１３よりなる保護手段１０を設ける。用紙排出経路５のプリンタ１の排紙口２とは離間した反対側の端部近傍に印刷された用紙３の排出端部に排出口２０を設ける。排出口２０から排出された用紙３の先端部を、指先で摘んで引っ張ることにより、用紙３は、カッター７の近傍で切断され、印字済の用紙３を取り出すことができる。【選択図】図１
2016040104.tif 000002
【特許請求の範囲】
【請求項１】
プリンタの排紙口に近接してこの排紙口から上方に排紙される用紙を横方向に案内する用紙排出経路を設け、
前記プリンタの外側に少なくとも前記排紙口および前記用紙排出経路を保護する保護手段を設け、
前記用紙排出経路の前記プリンタの排紙口とは離間した反対側の端部近傍に印刷された用紙の排出口を設けた
ことを特徴とするプリンタの用紙排出機構。
【請求項２】
前記プリンタの排紙口と前記用紙排出経路との間には、前記排紙口から上方に向けて排紙される用紙の先端を斜面にて受ける横方向に伸びる鋭角部を有する台座を設け、
前記台座と排紙される用紙を挟んで反対側には、その用紙を上記用紙排出経路へ導くガイド板を設け、
前記台座上面の鋭角部に、排紙される用紙とその横方向に伸びる刃先にて接するカッターを設けた
ことを特徴とする請求項１記載のプリンタの用紙排出機構。
【請求項３】
前記ガイド板は、側面から見て円弧状に形成した
ことを特徴とする請求項２記載のプリンタの用紙排出機構。
【請求項４】
前記カッターは、刃先が用紙との摩擦係数を高め、用紙に刻まれたミシン目をもって切り離し易いようにぎざぎざ状に形成されている
ことを特徴とする請求項２に記載のプリンタの用紙排出機構。
【請求項５】
前記台座の用紙の先端を受ける前記斜面は、円弧状に形成された前記ガイド板に向かって前記用紙を送り出し、前記ガイド板は、前記用紙を排出口側に送り出すように構成されている
ことを特徴とする請求項２〜４のいずれか１項に記載のプリンタの用紙排出機構。
【請求項６】
前記用紙排出経路は、
前記保護手段として前記排紙口および前記用紙排出経路をカバーするフレームおよび外側ガイド部材からなる外カバーと、
上記外側ガイド部材と排紙される用紙を挟んで反対側にて対峙する内側ガイド部材と、
排紙される用紙の通過を案内し且つ横方向へのずれを阻む一対のガイドスペーサと
により構成された
ことを特徴とする請求項１〜５のいずれか１項に記載のプリンタの用紙排出機構。
【請求項７】
前記外側ガイド部材の内側の面に、排紙される用紙との面接触を軽減する複数の突条を略排紙方向に沿って設けた
ことを特徴とする請求項１〜６のいずれか１項に記載のプリンタの用紙排出機構。
【請求項８】
前記内側ガイド部材は、開口を有し、該開口は、前記排出口側に向けて長く延びその端部が円弧状に形成してなる
ことを特徴とする請求項６に記載のプリンタの用紙排出機構。
【請求項９】
少なくとも前記外側ガイド部材は、透明または半透明であって、摩擦係数の小さい合成樹脂からなる
ことを特徴とする請求項６〜８のいずれか１項に記載のプリンタの用紙排出機構。
【発明の詳細な説明】
【技術分野】
【０００１】
本発明は、少なくともプリンタを備え、例えば屋外等、塵埃、その他の異物や雨水、水滴等に侵入されるおそれのある環境下で使用される装置、例えば車両重量測定装置その他各種計測装置等に好適なプリンタの用紙排出機構に関するものである。
【背景技術】
【０００２】
プリンタを備えた各種装置には、携帯可能なものが少なくない。例えば、ポータブル車両重量測定装置に付属した軸重計指示装置がそれである。このポータブル車両重量測定装置は、プリンタを備え、軸重計測を終えると計測データをプリンタにて用紙に印字し、排紙するようになっている。
そのような装置は、塵埃、その他の異物や雨水、水滴等に侵入されるおそれのある環境、例えば屋外で使用されるのが普通である。
そして、プリンタは、印字済み用紙を排紙口を通じて外部に排紙しなければならないので、排紙口およびその近傍や、排紙口から内部へ塵埃、その他の異物や雨水、水滴等が侵入する恐れがあった。
そのため、プリンタを内蔵するポータブルな装置については、プリンタの排紙口に対する防塵、防湿対策の必要性が認識され、その防塵、防湿の試みが種々為されている。
例えば、特開平５−４４２０号公報（以下、「特許文献１」という）には、カッターの歯形状の刃に当接し、プリンタ用紙の排出時には、プリンタ用紙をカッターの刃と挟む形となるように設けられる、プリンタ用紙の排出方向に対して直角方向に可撓性を有する第１の遮蔽板と、カッターの上面に重ねて設けられ、プリンタ用紙の排出方向に可撓性を有する第２の遮蔽板とを備え、刃とカバーの間および歯形状の刃の隙間からの装置内への異物の侵入を防ぐように構成されたプリンタ用紙出口の防塵装置が提案されている。
【０００３】
また、特許第３９６１４３３号公報（以下、「特許文献２」という）には、
用紙が排出される用紙排出口を開閉可能に塞ぐ可撓性を備えた塵埃水滴侵入阻止部材と、
前記塵埃水滴侵入阻止部材よりも前記用紙排出口の内側に位置して先端に引き当てられた前記用紙を受け止めて切断する用紙切断部材と、
前記用紙排出口の外側に位置して、前記用紙排出口から排出されて前記用紙切断部材の先端を支点にして前記用紙切断部材側に倒された用紙を受け止める受け止め部材と、を備え、
前記用紙排出口の外側と前記受け止め部材と前記倒された用紙とによって形成される空間は、前記倒された前記用紙によって前記用紙切断部材側に倒された塵埃水滴侵入阻止部材の部分を前記用紙排出口の外側から離間した状態で収納する広さを有していることを特徴とする用紙切断防塵防滴装置が提案されている。
【先行技術文献】
【特許文献】
【０００４】
【特許文献１】特開平５−４４２０号公報
【特許文献２】特許第３９６１４３３号公報
【発明の概要】
【発明が解決しようとする課題】
【０００５】
上述したように、屋外等、塵埃、その他の異物や雨水、水滴等に侵入されるおそれのある環境下で使用されるプリンタを備えたポータブルな装置において、プリンタの排紙口の隙間から内部への異物、水滴等の侵入を防止する必要性は、従来から認識されていた。
そして、試みられた防塵・防滴の手段には、ある程度の効果が得られるものと推測される。しかしながら、上記従来の技術には、以下に述べるような根本的な問題があった。
従来の技術は、プリンタの排紙口およびその近傍は外部に剥き出しになっており、排紙口から内部への塵埃、その他の異物や、雨水、水滴等の侵入を完全に防止できないのみならず、排紙口近傍に存在する部材には、外部に完全に曝されるものもあり、それらに対する塵埃、雨水等の付着は防止できなかったのである。
特に、プリンタの排紙口やその近傍には、印字ヘッド、プラテンローラ、カッター、電気回路等重要な部材が多く配設されており、構造も複雑であり、塵埃等の異物や雨水等の付着が故障等の原因になり、看過できない問題をもたらした。
また、強い風雨により印字中に用紙があおられ、用紙が折れたり、ちぎれたり、破れたりすることもあった。
【０００６】
そこで、本発明者らは、従来の技術の根本的な問題を解決すべく、プリンタの外側に、その排紙口から排紙される印字済み用紙を案内する用紙排出経路を設け、この用紙排出経路の出口を以てその装置の排出口とすることにより、プリンタの排紙口とは別に、そのプリンタを備えた装置としての排出口を離間させて設けるという着想を得た。そのようにすれば、プリンタの排紙口を保護手段により外部に露出させることなく、塵埃、その他の異物、雨水、水滴等の侵入を有効に防止することができるからである。
本発明の請求項１の発明の目的とするところは、比較的簡単な構造で、プリンタの排紙口およびその近傍への塵埃、その他の異物、雨水、水滴等の侵入を有効に防止し得るプリンタの用紙排出機構を提供することにある。
本発明の請求項２の発明の目的は、プリンタの排紙口から排紙される用紙を用紙排出経路へスムーズに案内できるようにすると共に、カッターにて用紙がスムーズに且つ確実に切断、排出されるようにすることにある。
本発明の請求項３の発明の目的は、プリンタの排紙口から排紙される用紙の用紙排出経路への案内をよりスムーズにできるようにすることにある。
【０００７】
本発明の請求項４の発明の目的は、用紙排出経路の出口である排出口にてそこから出た印字済み用紙を引っ張ったとき、カッターにより、予め用紙に刻まれてあるミシン目にて確実に且つスムーズに用紙の切断動作が行われるようにすることにある。
本発明の請求項５の発明の目的は、プリンタの排紙口から上方向に排紙された用紙を、横方向に伸びる用紙排出経路へ、よりスムーズに案内し、用紙のつまりが生じないようにすることにある。
本発明の請求項６の発明の目的は、用紙排出経路を、プリンタの排紙口およびその近傍への塵埃、その他異物、雨水、水滴の侵入、付着をより有効に防止できるように構成し、用紙が横ずれや詰まり等を生じることなくスムーズに進行できるようにすることにある。
本発明の請求項７の発明の目的は、排紙された用紙が外カバーの内面に面接触してスムーズに用紙排出経路内を進むことができなくなることを防止することにある。
本発明の請求項８の発明の目的は、排紙された用紙の内カバーとの接触面積をより狭くすることによりスムーズに用紙排出経路内を進むことができるようにすると共に、異常が起きたとき異常箇所に指が届いてその異常に対処できるようにし、更には、プリンタを備えた装置の軽量化を図ることにある。
本発明の請求項９の発明の目的は、用紙排出経路内を印字された用紙がよりスムーズに進むようにすると共に、外部から印字状態、記録内容および印字済み用紙の排紙状況を視認し、印字内容の異常、紙詰まり、紙ちぎれ等の異常が起きたとき異常の発見や処置を迅速に行うことができるようにすることにある。
【課題を解決するための手段】
【０００８】
請求項１に記載した本発明に係るプリンタの用紙排出機構は、上述した目的を達成するために、
プリンタの排紙口に近接してこの排紙口から上方に排紙される用紙を横方向に案内する用紙排出経路を設け、
前記プリンタの外側に少なくとも前記排紙口および前記用紙排出経路を保護する保護手段を設け、
前記用紙排出経路の前記プリンタの排紙口とは離間した反対側の端部近傍に印刷された用紙の排出口を設けた
ことを特徴としている。
請求項２に記載した本発明に係るプリンタの用紙排出機構は、上述した目的を達成するために、請求項１のプリンタの用紙排出機構において、
前記プリンタの排紙口と前記用紙排出経路との間には、前記排紙口から上方に向けて排紙される用紙の先端を斜面にて受ける横方向に伸びる鋭角部を有する台座を設け、
前記台座と排紙される用紙を挟んで反対側には、その用紙を上記用紙排出経路へ導くガイド板を設け、
前記台座上面の鋭角部に、排紙される用紙とその横方向に伸びる刃先にて接するカッターを設けた
ことを特徴としている。
【０００９】
請求項３に記載した本発明に係るプリンタの用紙排出機構は、上述した目的を達成するために、請求項２のプリンタの用紙排出機構において、
前記ガイド板は、側面から見て円弧状に形成した
ことを特徴としている。
請求項４に記載した本発明に係るプリンタの用紙排出機構は、上述した目的を達成するために、請求項２のプリンタの用紙排出機構において、
前記カッターは、刃先が用紙との摩擦係数を高め、用紙に刻まれたミシン目をもって切り離し易いようにぎざぎざ状に形成されている
ことを特徴としている。
請求項５に記載した本発明に係るプリンタの用紙排出機構は、上述した目的を達成するために、請求項２〜４のいずれか１項のプリンタの用紙排出機構において、
前記台座の用紙の先端を受ける前記斜面は、円弧状に形成された前記ガイド板に向かって前記用紙を送り出し、前記ガイド板は、前記用紙を排出口側に送り出すように構成されている
ことを特徴としている。
【００１０】
請求項６に記載した本発明に係るプリンタの用紙排出機構は、上述した目的を達成するために、請求項１〜５のいずれか１項のプリンタの用紙排出機構において、
前記用紙排出経路は、
前記保護手段として前記排紙口および前記用紙排出経路をカバーする外カバーと、
上記外カバーと排紙される用紙を挟んで反対側にて対峙する内側ガイド部材と、
排紙される用紙の通過を案内し且つ横方向へのずれを阻む一対のガイドスペーサと
により構成された
ことを特徴としている。
請求項７に記載した本発明に係るプリンタの用紙排出機構は、上述した目的を達成するために、請求項１〜６のいずれか１項のプリンタの用紙排出機構において、
前記外側ガイド部材の内側の面に、排紙される用紙との面接触を軽減する複数の突条を略排紙方向に沿って設けた
ことを特徴としている。
【００１１】
請求項８に記載した本発明に係るプリンタの用紙排出機構は、上述した目的を達成するために、請求項６に記載のプリンタの用紙排出機構において、
前記内側ガイド部材は、開口を有し、該開口は、前記排出口側に向けて長く延びその端部が円弧状に形成してなる
ことを特徴としている。
請求項９に記載した本発明に係るプリンタの用紙排出機構は、上述した目的を達成するために、請求項６〜８のいずれか１項のプリンタの用紙排出機構において、
少なくとも前記外側ガイド部材は、透明または半透明であって、摩擦係数の小さい合成樹脂からなる
ことを特徴としている。
【発明の効果】
【００１２】
即ち、本発明の請求項１のプリンタの用紙排出機構によれば、
プリンタの排紙口に近接してこの排紙口から上方に排紙される用紙を横方向に案内する用紙排出経路を設け、
前記プリンタの外側に少なくとも前記排紙口および前記用紙排出経路を保護する保護手段を設け、
前記用紙排出経路の前記プリンタの排紙口とは離間した反対側の端部近傍に印刷された用紙の排出口を設けたので、
比較的簡単な構造で、プリンタの排紙口およびその近傍への塵埃、その他の異物、雨水、水滴等の侵入を有効に防止することができる。
本発明の請求項２のプリンタの用紙排出機構によれば、請求項１のプリンタの用紙排出機構において、
前記プリンタの排紙口と前記用紙排出経路との間には、前記排紙口から上方に向けて排紙される用紙の先端を斜面にて受ける横方向に伸びる鋭角部を有する台座を設け、
前記台座と排紙される用紙を挟んで反対側には、その用紙を上記用紙排出経路へ導くガイド板を設け、
前記台座上面の鋭角部に、排紙される用紙とその横方向に伸びる刃先にて接するカッターを設けたので、
プリンタの排紙口から排紙される用紙を用紙排出経路を経て排出口までプリンタの排紙する力のみでスムーズに案内できるようにすることができ、且つ排出口から排出された用紙の端部を摘んで引っ張ることで、用紙を容易に切断することができる。
【００１３】
本発明の請求項３のプリンタの用紙排出機構によれば、請求項２のプリンタの用紙排出機構において、
前記ガイド板は、側面から見て円弧状に形成したので、
プリンタの排紙口から排紙される用紙の用紙排出経路への案内がよりスムーズに為されるようにすることができる。
本発明の請求項４のプリンタの用紙排出機構によれば、請求項２のプリンタの用紙排出機構において、
前記カッターは、刃先が用紙との摩擦係数を高め、用紙に刻まれたミシン目をもって切り離すようにぎざぎざ状に形成されているので、
用紙排出経路の排出口にてそこから出た印字済み用紙を引っ張ってそのミシン目にて切り離すことを確実に且つスムーズに行うことができる。
本発明の請求項５のプリンタの用紙排出機構によれば、請求項２〜４のいずれか１項のプリンタの用紙排出機構において、
前記台座の用紙の先端を受ける前記斜面は、円弧状に形成された前記ガイド板に向かって前記用紙を送り出し、前記ガイド板は、前記用紙を排出口側に送り出すように構成されているので、
プリンタの排紙口から上方向に排紙された用紙を、横方向に伸びる用紙排出経路によりスムーズに案内し、用紙のつまりが生じないようにすることができる。
【００１４】
本発明の請求項６のプリンタの用紙排出機構によれば、請求項１〜４のいずれか１項のプリンタの用紙排出機構において、
前記用紙排出経路は、
前記保護手段として前記排紙口および前記用紙排出経路をカバーするフレームおよび外側ガイド部材と、
上記外側ガイド部材と排紙される用紙を挟んで反対側にて対峙する内側ガイド部材と、
排紙される用紙の通過を案内し且つ横方向へのずれを阻む一対のガイドスペーサと
により構成されているので、
プリンタの排紙口およびその近傍への塵埃、その他異物、雨水、水滴の侵入、付着をより有効に防止できるように構成しつつ、用紙が横ずれや紙詰まり等を生じることなくスムーズに進行できるようにすることができる。
【００１５】
本発明の請求項７のプリンタの用紙排出機構によれば、請求項５または６のプリンタの用紙排出機構において、
前記外側ガイド部材の内側の面に、排紙される用紙との面接触を軽減する複数の突条を略排紙方向に沿って設けたので、
排紙された用紙が外側ガイド部材の内面に面接触してスムーズに用紙排出経路内を進むことができなくなることを防止することができる。
本発明の請求項８のプリンタの用紙排出機構によれば、請求項６のプリンタの用紙排出機構において、
前記内側ガイド部材は、開口を有し、該開口は、前記排出口側に向けて長く延び、その端部が円弧状に形成してなるので、
排紙された用紙の内側ガイド部材との接触面積をより狭くすることによりスムーズに用紙排出経路内を進むことができるようにすると共に、異常が起きたときその開口に指を通して異常に対処できるようにし、更には、プリンタを備えた装置の軽量化を図ることができる。
【００１６】
本発明の請求項９のプリンタの用紙排出機構によれば、請求項６〜８のいずれか１項のプリンタの用紙排出機構において、
少なくとも前記外側ガイド部材は、透明または半透明であって、摩擦係数の小さい合成樹脂からなるので、
用紙排出経路内を印字された用紙がよりスムーズに進み、排紙トラブルが生じにくくなるようにすることができると共に、外部から印字状態、記録内容および印字済み用紙の排出状況を視認し、印字内容の異常、紙詰まり、紙ちぎれ等の異常が起きたとき異常の発見や処置を迅速に行うことができる。
【図面の簡単な説明】
【００１７】
【図１】本発明の一つの実施の形態に係るプリンタの用紙排出機構の要部構成を示す断面図である。
【図２】図１のプリンタの用紙排出機構を上面から見た状態の平面図である。
【図３】図１のプリンタの用紙排出機構の構成を一部分解して斜め上方から見た状態の斜視図である。
【図４】図３のプリンタの用紙排出機構のプリンタ部と台座をさらに分離して斜め上方から見た状態の分解斜視図である。
【図５】図１のプリンタの用紙排出機構を分解し、斜め下方から見た状態の分解斜視図である。
【図６】図１のプリンタの用紙排出機構を分解し且つ用紙の排出経路が分かるように、斜め上方から見た分解斜視図である。
【図７】本発明の一つの実施の形態に係るプリンタの用紙排出機構の構成を示す横断面図である。
【図８】図７に示すプリンタの用紙排出機構を破断した断面を斜め下方から見た状態の斜視図である。
【図９】本発明の一つの実施の形態に係るプリンタの用紙排出機構を組み込んだ車両重量測定装置の外観構成を示す斜視図である。
【図１０】図９に示す車両重量測定装置の外カバーを開いた状態の外観構成をやや拡大して示す斜視図である。
【発明を実施するための形態】
【００１８】
以下、本発明の一つの実施の形態に基づき、図面を参照して本発明のプリンタの用紙排出機構を詳細に説明する。
図１は、本発明の一つの実施の形態に係るプリンタの用紙排出機構の要部構成を示す断面図であり、図２は、図１のプリンタの用紙排出機構を上面から見た状態の平面図である。
図３は、図１のプリンタの用紙排出機構の構成を一部分解し、即ち、フレーム１２、外側ガイド部材１３、ガイドスペーサ２２、内側ガイド部材１７等を分解して斜め上方から見た状態の斜視図である。
図４は、図３のプリンタの用紙排出機構のプリンタ１と台座６をさらに分離して斜め上方から見た状態の分解斜視図である。
図５は、図１のプリンタの用紙排出機構を分解し、斜め下方から見た状態の分解斜視図である。
図６は、図１のプリンタの用紙排出機構を分解し且つ用紙３の排出経路が分かるように、斜め上方から見た分解斜視図である。
【００１９】
図７は、本発明の一つの実施の形態に係るプリンタの用紙排出機構の構成を示す横断面図である。
図８は、図７に示すプリンタの用紙排出機構を中間で破断した断面を斜め下方から見た状態の斜視図である。
図９は、本発明の一つの実施の形態に係るプリンタの用紙排出機構を組み込んだ車両重量測定装置２５の外観構成を示す斜視図であり、図１０は、図９に示す車両重量測定装置の外カバーと内側ガイド部材を共に開いた状態の外観構成を示す斜視図である。
本発明の一つの実施の形態に係るプリンタの用紙排出機構に関する図１〜図８において、１はプリンタで、排紙口２が上向きで設けられており、その排紙口２から印字済みの用紙３が排紙される。
４はプリンタ１の外側に設けられた用紙排出機構であり、プリンタ１の排紙口２から上向きに排紙された用紙３を横向きに案内する用紙案内経路５を有する。
６はカッター７を保持する台座で、その一方の側面は、後述するガイド板９の方向に用紙３が送れるように斜面８にされて上記排紙口２から排紙される用紙３の先端が当たる所に位置されており、その斜面上部が鋭角に横方向へ突出している。そして、上記カッター７は、鋭角に突出した部分の上面にその突出した部分から刃先が更に突出するように固定されている。
【００２０】
そのカッター７の刃先は、図４および図６に示すようにぎざぎざ状または鋸歯状に形成されている。なお、台座６とカッター７を一体に形成し、台座６の斜面８の鋭角部がそのままカッターとして機能するようにしても良い。
９はガイド板で、図１、図３、図４、図６に示すように、台座６の上記斜面８と対峙し、台座６との間を上向きに通る用紙３を横方向に伸びる用紙案内経路５に円滑に案内できるように、可撓性のある薄板に形成され、図１の紙面に直交する方向から見て略円弧状に形成されている。このガイド板９は、その上端が、ねじ等によりフレーム１２に固定されている。
台座６は、単にカッター７を保持する役割を果たすのみならず、ガイド板９と共に用紙３を用紙案内経路５の入口に案内する役割を果たす。この案内について、図１、図３、図６等を参照しながら説明をすると、排紙口２から上向きに排紙された印字済みの用紙３は、その先端が台座６の斜面８にあたり、さらに、その用紙３は、円弧状のガイド板９側に向けて曲がり、その後、そのガイド板９によって反転するように、用紙案内経路５へ向けて円弧状に案内される。
【００２１】
次に、用紙排出機構４の主要構成要素となる用紙案内経路５の構成を詳細に説明する。
１０は用紙案内経路５の一部を成し保護手段として機能する部分で、プリンタ１の排紙口２と、台座６と、それに保持されたカッター７と、円弧状のガイド板９が設けられた部分を保護し、塵埃、その他の異物や雨水の侵入、付着を防止する役割を果たす。
１１は外カバーで、フレーム１２と外側ガイド部材１３とにより構成されている。外カバー１１の一部であるフレーム１２は、用紙案内経路５の排出部となる出口側と反対側の端部（図１において、左端部）が下側へ略直角に折り曲げられて、防塵、防湿機能を果たす。
そして、フレーム１２の長手方向における中心部よりやや左側寄りの部分から図１の右端側（用紙排出部側））が肉薄にされている。そして、その肉薄部分は、先端（右）から長方形状に切り欠かれた切欠き１４を有しフォーク状をなしている。１５、１５は、そのフォーク状部分である。
上記外側ガイド部材１３は、フレーム１２の上記フォーク状部分１５、１５に取り付けられてフレーム１２と合体して外カバー１１を構成するものであり、内側（下面側）の表面には複数本の、本例では３本の突条（いわゆるリブ）１６、１６、１６が排紙方向に沿って形成されている。この突条１６は、外側ガイド部材１３と一体成型してもよいし、別体で構成し、それを接着等で接合して一体化してもよい。
【００２２】
この突条１６、１６、１６は、用紙案内経路５内面に排紙される用紙３が全面的に密着してその進行が妨げられ、用紙３のつまり等が生じるのを防止すべく、用紙案内経路５の内面への面密着を阻む（摩擦軽減する）ために形成されるものである。
その外側ガイド部材１３は、フレーム１２の上記フォーク状部分１５、１５上に固定されたとき、自身の外側の表面とフレーム１２の外側の表面とが同一平面上に位置し、その間に段差が生じないように、肉厚が設定されている。
このように、外カバー１１をフレーム１２と外側ガイド部材１３の二つの部材で形成し、外側ガイド部材１３の内面に突条１６、１６、１６を形成するのは、用紙案内経路５を通る用紙３とこの経路５の上側内面との面接触を避け接触面積が大きくならないようにするためである。突条１６、１６、１６の断面寸法は、本例では、幅が３ｍｍ、高さが１ｍｍに設定したが、これに限られるものではない。
外カバー１１を構成する少なくとも外側ガイド部材１３は、摩擦係数の小さな合成樹脂で形成することが望ましい。その理由は、金属で形成すると、摩擦係数を充分に小さくすることが難しくなり、用紙３が用紙案内経路５をスムーズに進行することが難しくなるからである。
【００２３】
また、外カバー１１のうち、少なくとも外側ガイド部材１３は、透明または半透明な合成樹脂で形成することが望ましい。その理由は、外部から用紙案内経路５内の状況、例えば、用紙３に排紙異常が生じているか否かの状況を視認することや、印字が所期の通りなされているか否かを視認することができるからである。
１７は内側ガイド部材で、外カバー１１および内側ガイド部材１７の下側に適宜離間して配置されており、用紙案内経路５の下部を成す。用紙３を受け入れる側の端部１８は、斜め下側に傾斜されている。用紙案内経路５の入口がやや大きく開くようにして用紙をスムーズに用紙案内経路５の奥に案内できるようにするためである。
１９は内側ガイド部材１７の用紙排出側の端部（右端部）付近にて斜め上側に傾斜するように折曲された折曲部で、平坦な排出口２０に連接されている。このようにすることにより用紙案内経路５から排出される用紙の先端が横向きから斜め上向きにされ、排出口２０にて用紙３の端を摘まみやすくすることができる。
図４および図５において、２１は、内側ガイド部材１７の中間部に設けられた開口で、紙詰まりが生じたとき指を挿入して紙詰まりを解消する作業をし易くする役割を果たすと共に、用紙案内経路５を通る用紙３との接触面積を極力減らしてその間の摩擦をより小さくして用紙３がスムーズに排出されるようにするものである。更に、開口２１を設けることにより軽量化を図ることもできる。
【００２４】
尚、開口２１の数は、本実施の形態では、一個であるが複数個であっても良い。また、排出側の開口２１の形状を円弧状としたのは、用紙３の先端が引っ掛かりにくくするためである。
内側ガイド部材１７も、外側ガイド部材１３と同様に、摩擦係数の小さな合成樹脂、例えばポリカーボネイトで形成することが望ましいが、強度が不足する場合は、金属、例えばアルミニウム合金で形成してもよい。
２２、２２は、一対のガイドスペーサで、先端部にテーパーを付してあり、用紙案内経路５内を進む用紙３をガイドし、横方向にずれないように案内すると共に、用紙案内経路５の両サイドからの塵埃、その他の異物および雨水、水滴、湿気等の侵入を防止する役割を果たすもので、外カバー１１・内側ガイド部材１７間を、その両サイドにてトンネル状に閉塞するように設けられている。
【００２５】
なお、ガイドスペーサ２２、２２は、他と別体に形成することは必ずしも必要ではなく、外側ガイド部材１３或いは内側ガイド部材１７のいずれかと一体に形成するようにしても良い。
このように用紙案内経路５は、外側ガイド部材１３、内側ガイド部材１７および一対のガイドスペーサ２２、２２によって囲繞されたトンネル状の空間からなり、プリンタ１の排紙口２から排紙された印字済みの用紙３を用紙案内経路５を介して受け入れ、用紙排出口２０からその用紙３を排出するようにする役割を果たす。
それにより、プリンタ１の排紙口２から直接外部に用紙３を取り出すのではなく、その排紙口２から或る距離離間した排出口２０から外部に取り出すことができるようにしている。
このような用紙排出機構４を有するプリンタ１を備えた装置においては、プリンタ１にセットされる用紙３は、図示は省略したが、その幅方向に沿ったミシン目が、１回の測定に必要な長さ毎に、長手方向に一定の距離を置いて多数形成されており、その各隣り合うミシン目間が一つの纏まった印字領域を成すようになっている。
【００２６】
プリンタ１の排紙口２から上向きに排紙される用紙３は、図１、図６に示すように、その先端が台座６の斜面８にあたり、ガイド板９側に方向が曲げられる。そして、その用紙３の先端は、その後、ガイド板９によって反転して円弧状に曲げられて用紙案内経路５の入口に案内され、そして、用紙案内経路５内を進み、その排出端部のある排出口２０から用紙３を摘める一定長さはみ出たとき、プリンタ１からの一纏まりの印字が終了し、排紙が一旦停止するようになっている。
そして、そのとき、用紙３のミシン目が台座６に固定支持されたカッター７のぎざぎざに形成された刃先２４に接するようになっている。
そこで、その用紙３の用紙案内経路５の排出口２０からはみ出した先端部を引っ張れば、用紙３は、鋭角部を有する台座６の先端に設けたカッター７のぎざぎざの刃先２４に当たって摩擦が大きくなっている部分にてちぎれ、それより先端側の部分が一纏まりの印字領域として外部に排出されることになる。
尚、カッター７の刃先２４を図４および図６に示すようにぎざぎざにするのは、用紙３との間の摩擦係数を大きくして、ミシン目にてちぎれやすくするためである。
図９および図１０は、図１〜図８に示したプリンタの排出機構を備えた、例えば、車両重量測定装置２５を示す斜視図である。
【００２７】
この車両重量測定装置２５は、プリンタ１を備え、軸重計測を終えると計測データをプリンタ１にて用紙３に印字し、上向きに排紙するようになっている。そして、排出口２０にて用紙３の先端部を引っ張ることにより前記ミシン目の部分で、カッター７の刃先２４により用紙３を切り離し、その切り離した部分（１回測定分のデータ）を排出する。
用紙３の交換、用紙送りに異常を来たした際は、図１０に示すように、外カバー１１を開けて、必要な作業を行う。
なお、本発明を適用できる装置は、車両重量測定装置に限定されるものではなく、少なくともプリンタを備え、例えば屋外等、塵埃、その他の異物や雨水、水滴等に侵入されるおそれのある環境下で使用される可能性のある装置には一般的に適用することができる。
【産業上の利用可能性】
【００２８】
本発明は、例えばポータブル車両重量測定装置等、少なくともプリンタを備え、例えば屋外等、塵埃、その他の異物や雨水、水滴等に侵入されるおそれのある環境下で使用される可能性のある装置に広く産業上に利用可能性がある。
【符号の説明】
【００２９】
１    プリンタ
２    （プリンタの）排紙口
３    用紙
４    用紙排出機構
５    用紙案内経路
６    台座
７    カッター
８    斜面
９    ガイド板
１０    保護手段
１１    外カバー
１２    フレーム
１３    外側ガイド部材
１４    切欠き
１５    フォーク状部分
１６    突条
１７    内側ガイド部材
１８    用紙受入側の端部
１９    折曲部
２０    排出口
２１    開口
２２    ガイドスペーサ
２４    カッター７のぎざぎざの刃先
２５    車両重量測定装置
【図１】
2016040104.tif 000003
【図２】
2016040104.tif 000004
【図３】
2016040104.tif 000005
【図４】
2016040104.tif 000006
【図５】
2016040104.tif 000007
【図６】
2016040104.tif 000008
【図７】
2016040104.tif 000009
【図８】
2016040104.tif 000010
【図９】
2016040104.tif 000011
【図１０】
2016040104.tif 000012